(57)【要約】【課題】電力供給用コードの余分の長さを簡単に調節できるうえ、その調節状態を確実に維持でき、扱い易い照明器具のコード調節具を提供する。【解決手段】引っ掛けシーリングプラグ１と照明器具Ｎとを電気的に接続する電力供給コードＭに装着される調節具本体２とコード調節具本体２を覆うカバー３とを備えた照明器具のコード調節具において、前記調節具本体２は、その上下両壁部２１，２２にそれぞれ形成された上側および下側コード挿通孔２４，２７と、両コード挿通孔２４，２７のうちの少なくともいずれか一方の周囲に形成された電力供給コード圧接用の複数の弾性圧接片２８（２５）と、複数の弾性圧接片２８（２５）を回動操作で縮径変形させて電力供給コードＭに圧接させるロック部材２９とを備える。【選択図】  図１
2006024534.tif 000002
【特許請求の範囲】
【請求項１】
引っ掛けシーリングプラグと照明器具とを電気的に接続する電力供給コードに装着される調節具本体と、
前記電力供給コードを挿通させて前記調節具本体を覆うカバーとを備えた照明器具のコード調節具において、
前記調節具本体は、
互いに対向配設されるとともに、連結部を介して一体化された上下一対の壁部のうちの上壁部に形成されて、前記電力供給コードが挿通される上側コード挿通孔と、
前記下壁部に形成されて、前記電力供給コードが挿通される下側コード挿通孔と、
前記上側コード挿通孔および下側コード挿通孔のうちの少なくともいずれか一方の周囲に形成された電力供給コード圧接用の複数の弾性圧接片と、
前記複数の弾性圧接片を縮径変形させて電力供給コードに圧接させるとともに、圧接状態を解除可能にロックするロック部材と、
を備えていることを特徴とする照明器具のコード調節具。
【請求項２】
前記ロック部材は、孔を介して前記弾性圧接片に水平面内で回転変移可能に嵌合された環状体からなり、
前記孔の周縁には、前記各弾性圧接片を位置させて縮経させる径小縁部と縮経を解除する径大縁部とが周方向に交互配置に形成されているとともに、前記環状体を回転変移させることによって、弾性圧接片が径小縁部に位置する状態と径大縁部に位置する状態を、転換可能となされている請求項１に記載の照明器具のコード調節具。
【請求項３】
前記上側コード挿通孔の周囲に、前記電力供給コード圧接用の複数の弾性圧接片が下方突出状態に形成されるとともに、前記複数の弾性圧接片に、ロック部材としての前記環状体が嵌合され、
前記下側コード挿通孔の周囲に、前記電力供給コード圧接用の複数の弾性圧接片が上方突出状態に形成されるとともに、前記複数の弾性圧接片に、ロック部材としての前記環状体が嵌合されている請求項２に記載の照明器具のコード調節具。
【発明の詳細な説明】
【技術分野】
【０００１】
この発明は、例えば天井から吊り下げて設置する照明器具の電力供給コードの長さを調節するのに用いられる照明器具のコード調節具に関する。
【背景技術】
【０００２】
天井から吊り下げて使用する照明器具は、天井に設けられた引っ掛けシーリングソケットに装着される引っ掛けシーリングプラグから引き出されている電力供給コードを介して吊り下げられるようになっている。そして、部屋毎の天井の高さなどの違いから照明器具の高さ位置を変える場合には、前記電力供給コードの吊り下げ長さを調節している。
【０００３】
一般的には、例えば電力供給コードを途中で折り曲げて短くする部品を使用したり、電力供給コードをまとめて縛ったりするなど、外見からは体裁が悪い方法により前記電力供給コードの長さを調節していた。
【０００４】
このような状況から、従来すでに、前記電力供給コードを途中で余分の長さ分を折り曲げて保持できるように構成した照明器具のコード調節具が提案されている（例えば、特許文献１参照）。
【０００５】
このコード調節具は、図９に示すように、コード調節具本体１０１に、上側コード挿通孔１０２を設け、その下方に、電力供給コードＭを引き出す下側コード挿通孔１０３を設け、上側コード挿通孔１０２と下側コード挿通孔１０３との間における凸部１０４を挟んで上側および下側位置にそれぞれ左上がりおよび右上がりの傾斜溝１０５，１０６を形成し、引っ掛けシーリングプラグから延びた電力供給コードＭを下側コード挿通孔１０３挿通させた後に、該電力供給コードＭを左上がりの傾斜溝１０５を通過させ、電力供給コードＭの長さを調節して余分となる部分をループ状に巻いてから、今度は、右上がりの傾斜溝１０６を通過させ、最後に、電力供給用コードＭを下側コード挿通孔１０３から引き出すようにしたものであり、前記電力供給コードＭは、左上がりの傾斜溝１０５の入り口エッジ１０５ａと右上がりの傾斜溝１０６の出口エッジ１０６ａとの摩擦力で抜け止めされる。
【特許文献１】特開２００３−３３８２１６号公報
【発明の開示】
【発明が解決しようとする課題】
【０００６】
しかし、上記公知技術では、電力供給コードＭの途中を左上がりの傾斜溝１０５を通過させから長さ調節をして余分となる部分を弛ませて巻いた状態で、今度は、右上がりの傾斜溝１０６を通過させるので、電力供給コードＭの長さ調節に手間がかかるうえ、電力供給コードを適正に前記左上がりの傾斜溝１０５の入り口エッジ１０５ａと右上がりの傾斜溝１０６の出口エッジ１０６ａとに引っ掛けないと、せっかく長さ調整しても電力供給コードが弛んでしまうおそれがある。
【０００７】
この発明は、上記実情に鑑みてなされたものであり、照明器具の高さに応じた電力供給コードの長さを簡単に調節できるうえ、その調節状態を確実に維持でき、使い易い照明器具のコード調節具を提供することを課題としている。
【課題を解決するための手段】
【０００８】
上記課題を解決するために、この発明は、以下の手段を提供する。
（１）引っ掛けシーリングプラグと照明器具とを電気的に接続する電力供給コードに装着される調節具本体と、前記電力供給コードを挿通させて前記調節具本体を覆うカバーとを備えた照明器具のコード調節具において、前記調節具本体は、互いに対向配設されるとともに、連結部を介して一体化された上下一対の壁部のうちの上壁部に形成されて、前記電力供給コードが挿通される上側コード挿通孔と、前記下壁部に形成されて、前記電力供給コードが挿通される下側コード挿通孔と、前記上側コード挿通孔および下側コード挿通孔のうちの少なくともいずれか一方の周囲に形成された電力供給コード圧接用の複数の弾性圧接片と、前記複数の弾性圧接片を縮径変形させて電力供給コードに圧接させるとともに、圧接状態を解除可能にロックするロック部材と、を備えていることを特徴とする照明器具のコード調節具。
（２）前記ロック部材は、孔を介して前記弾性圧接片に水平面内で回転変移可能に嵌合された環状体からなり、
前記孔の周縁には、前記各弾性圧接片を位置させて縮経させる径小縁部と縮経を解除する径大縁部とが周方向に交互配置に形成されているとともに、前記環状体を回転変移させることによって、弾性圧接片が径小縁部に位置する状態と径大縁部に位置する状態を、転換可能となされている前項１に記載の照明器具のコード調節具。
（３）前記上側コード挿通孔の周囲に、前記電力供給コード圧接用の複数の弾性圧接片が下方突出状態に形成されるとともに、前記複数の弾性圧接片に、ロック部材としての前記環状体が嵌合され、前記下側コード挿通孔の周囲に、前記電力供給コード圧接用の複数の弾性圧接片が上方突出状態に形成されるとともに、前記複数の弾性圧接片に、ロック部材としての前記環状体が嵌合されている前項２に記載の照明器具のコード調節具。
【発明の効果】
【０００９】
請求項１の発明に係る照明器具のコード調節具によれば、電力供給コードをコード調節具本体におけるコード挿通孔に通して、長さ調節した状態でロック部材をロック操作すれば、コード挿通孔周囲の複数の弾性圧接片が縮径されて前記電力供給コードを圧接して抜け止めされる。つまり、電力供給コードの長さ調節作業がロック部材の操作のみで簡単に行うことができ、電力供給コードの圧接状態がロック部材でロックされるので、調節後に電力供給コードが不用意に緩んだりするおそれがなくなり、使い易くなる。しかも、電力供給コードの長さを再度調整する場合は、ロック部材による弾性圧接片のコードへの圧接状態を解除すれば良いから、コード長さの調節を極めて簡単に行うことができる。
【００１０】
請求項２の発明の照明器具のコード調節具によれば、ロック部材としての環状体を回転変移させて、環状体の孔の径小縁部に弾性圧接片を位置させると、弾性圧接片は縮経状態となり、電力供給コードに対して複数の弾性圧接片を圧接できる。また、この状態から、環状体の孔の径大縁部に弾性圧接片が位置するように環状体を回転変移させることにより、弾性圧接片の縮経状態を解除できる。従って、電力供給コードの引っ張り動作に応動する部品で電力供給コードを圧接させるものなどと違って、環状体を回転変移させるだけの簡単な操作でありながら、前記電力供給コードに対する圧接動作とその解除を確実に行わせることが可能となり、操作性が良い。
【００１１】
請求項３の発明の照明器具のコード調節具によれば、上側のコード挿通孔周囲の弾性圧接片と下側のコード挿通孔周囲の弾性圧接片との両方で電力供給コードが圧接されるので、電力供給コードの緩み防止効果が一層強化される。
【発明を実施するための最良の形態】
【００１２】
以下、この発明の一実施形態を図面に基づいて説明する。
【００１３】
図１および図２は、それぞれこの発明の一実施形態に係る照明器具のコード調節具を示す分解斜視図および組立断面図である。
【００１４】
図１および図２において、この照明器具のコード調節具Ａは、引っ掛けシーリングプラグ１から引き出された電力供給コードＭの途中に配備される調節具本体２と、この調節具本体２を覆うカバー３とを備えている。
【００１５】
前記引っ掛けシーリングプラグ１は、天井Ｆに設けられた引っ掛けシーリングソケット１０に着脱可能に装着され、かつ電気的に接続されるものであり、内部から電力供給コードＭが引き出されており、コードＭの先端には照明器具Ｎにおけるランプソケット（図示せず）が電気的に接続されている。つまり、照明器具Ｎは、電力供給コードＭを介して引っ掛けシーリングソケット１０側から電力が供給される。
【００１６】
前記調節具本体２は、合成樹脂などからなり、水平状の上下両壁部２１，２２と、これら上下両壁部２１，２２を連結する左右一対の垂直状の連結片２３，２３とを備えており、全体として略糸巻形に成形されている。
【００１７】
前記上壁部２１は、平面形状が、例えば長方形に形成されており、その上面には、長手方向（左右方向）の両端部に位置して、前記引っ掛けシーリングプラグ１を挟持可能な左右一対の挟持片２１ａ，２１ｂなどが立設されている。
【００１８】
また、この上壁部２１の中央部には、前記電力供給コードＭを挿通させる上側コード挿通孔２４が形成されている。
【００１９】
前記上壁部２１の下面側において、前記上側コード挿通孔２４の周縁には、図３に示すように、先端に内向きの突部２５ａを有し、縮径状態で前記電力供給コードＭを圧接する複数個（この実施形態では４個）の弾性圧接片２５が、相互に間隔をあけて、下方突出状態に一体形成されている。
【００２０】
この弾性圧接片２５には、圧接状態をロックする部材の一例として、環状体２６が回転変移可能に嵌合されている。
【００２１】
この環状体２６は、合成樹脂などからなり、図５（Ａ）〜（Ｃ）に示すように、中心部に孔２６ａを有している。この環状体２６の孔２６ａの周縁部には、４個の径小縁部２６ｂと４個の径大縁部２６ｃとが交互配置に形成されている。
【００２２】
前記径小縁部２６ｂは、環状体２６を水平面内で所定方向に回転させて各弾性圧接片２５の外周面を径小縁部２６ｂに当接保持させることにより（図８参照）、各弾性圧接片２５を内方に押圧して縮径状態を保持するための部位である。そして、弾性圧接片２５の縮経状態では、その先端の内向き突部２５ａが電力供給コードＭに圧接するとともに、圧接状態がロックされるようになっている。なお、弾性圧接片２５を内方に押圧して縮径状態としたときの弾性圧接片２５の傾斜に対応して、環状体２６の径小縁部２６ｂにおける内周面は、図５（Ｂ）に示すように、環状体２６の厚み方向の全体が下広がりの傾斜面２６ｈとなされている。
【００２３】
一方、前記径大縁部２６ｃは、環状体２６を水平面内で逆方向に回転させて各弾性圧接片２５をこの径大縁部２６ｃに位置させることにより（図８（Ａ）参照）、各弾性圧接片２５の内方への押圧力を解放して弾性圧接片２５を径大方向に弾性復帰させ、弾性圧接片２５の縮径状態を解除するための部位である。そして、弾性圧接片２５の縮径が解除された状態では、電力供給コードＭに対する圧接状態のロックも解除されるようになっている。
【００２４】
このように、環状体２６を水平面内で回転変移させることにより、弾性圧接片２５が径小縁部２６ｂに位置する状態と径大縁部２６ｃに位置する状態を転換可能となされているが、この実施形態では、各径大縁部２６ｃの周方向両側に存在する２個の径小縁部２６ｂのうち、径大縁部２６ｃと一方の径小縁部２６ｂとの間では弾性圧接片２５の位置がスムーズに転換されるが、径大縁部２６ｃと他方の径小縁部２６ｂとの間では転換できないように、径大縁部２６ｃと径小縁部２６ｂとの連接部の形状が設定されて、ロックとその解除の方向性が予め一義的に設定されている。
【００２５】
符号２６ｄは、環状体２６の外周面に突設された回転操作用の把手である。
【００２６】
また、各弾性圧接片２５の先端部は外方にも突出して、弾性圧接片２５に外嵌めされた環状体２６の抜け止め対策が講じられているが、図２に示すように、前記連結片２３にも環状体２６の細幅の抜け止め片２３ａが突設されている。この抜け止め片２３ａは、上壁部２１の下面から環状体２６の厚さ相当分下方の位置に設けられており、弾性圧接片２５に外嵌めされた環状体２６の下面にほぼ当接して、環状体２６の抜け落ちを防止するものとなされている。
【００２７】
なお、環状体２６を弾性圧接片２５に嵌合させる際に、抜け止め片２３ａが通過障害となるのを防ぐため、環状体２６の外周面には厚み方向全長にわたる１個又は複数個の溝部２６ｅが形成されており、環状体２６を弾性圧接片２５に嵌合させる際には、この溝部２６ｅを抜け止め片２３ａが通過するように、環状体２６を移動させれば良いものとなされている。
【００２８】
さらに、この実施形態では、環状体２６が電力供給コードＭに対する圧接状態が解除される方向に不用意に回転するのを防止するため、次のような対策が講じられている。
【００２９】
すなわち、図３に示すように、上壁部２１の下面にはピン状の係合突起２１ｃが下方に突出形成される一方、環状体２６の上面の所定位置には、図５に示すように、周方向にわずかの間隔をあけて厚みの減少した２個の凹部２６ｆ、２６ｆが形成され、これら２個の凹部２６ｆ、２６ｆの間に、相対的に突出した山部２６ｇが形成されている。
【００３０】
そして、環状体２６を前記弾性圧接片２５に嵌合して上壁部２１と抜け止め片２３ａとの間に配置した後、環状体２６を水平面内で回転させることにより、弾性圧接片２５を環状体２６の径小縁部２６ｂに位置させて弾性圧接片２５を縮経状態にロックしたときに、上壁部２１の下面の係合突起２１ｃが、環状体２６の一方の凹部２６ｆから山部２６ｇを超えて他方の凹部２６ｆへと強制的に相対移動するものとなされている。従って、このロック状態から環状体２６を逆方向に回転させてロックを解除しようとすると、前記環状体２６の凹部２６ｆ、２６ｆ間の山部２６ｇを強制的に超える力が付与されなければならないことから、不用意なロック解除方向の回転が防止される。
【００３１】
一方、前記下壁部２２は、前記上壁部２１に連結片２３，２３を介して連成されており、平面形状が、例えば長方形に形成されている。
【００３２】
この下壁部２２の中央部には、前記上側コード挿通孔２４を通過した電力供給コードＭを挿通させる下側コード挿通孔２７が形成されている。
【００３３】
前記下壁部２２の上面側において、前記下側コード挿通孔２７の周りには、図４に示すように、先端に内向きの突部２８ａを有し、縮径状態で前記電力供給コードＭを圧接する複数個（この実施形態では４個）の弾性圧接片２８が、相互に間隔をあけて、上方突出状態に一体形成されている。これらの弾性圧接片２８の構成は、前記弾性圧接片２５と突出の向きが上下逆である点を除いて同じである。
【００３４】
この弾性圧接片２８には、圧接状態をロックする部材の一例として、環状体２６が回転変移可能に嵌合されている。
【００３５】
この環状体２６の構成は、図５に示した環状体２６と上下の向きが逆である点を除き、同一の構成であるので、図５に示した環状体２６と同一の符号を付し、詳細な説明は省略する。
【００３６】
従って、環状体２６を、その凹部２６ｆ、２６ｆ及び山部２６ｇが形成されている面（図５の上面）を下向きにした状態で、弾性圧接片２８に外嵌めし、回転変移させることにより、弾性圧接片２８が径小縁部２６ｂに位置する縮経状態（ロック状態）と径大縁部２６ｃに位置する弾性復帰状態（ロック解除状態）とが転換可能となっている。
【００３７】
さらに、上側の環状体２６の場合と同様に、垂直状の連結片２３には図２に示すように、、下壁部２２の上面から環状体２６の厚さ相当分上方の位置に細幅の抜け止め片２３ｂが設けられており、弾性圧接片２８に外嵌めされた環状体２６の上面にほぼ当接して、環状体２６の抜けを防止するものとなされている。
【００３８】
さらに、上側の環状体２６の場合と同様に、下側の環状体２６が電力供給コードＭに対する圧接状態が解除される方向に不用意に回転するのを防止するため、図４に示すように、下壁部２２の上面にはピン状の係合突起２２ａが上方に突出形成されている。そして、前記下側の環状体２６を前記弾性圧接片２８に嵌合して下壁部２２と抜け止め片２３ｂとの間に配置した後、環状体２６を水平面内で回転させることにより、弾性圧接片２８を径小縁部２６ｂに位置させて弾性圧接片２８を縮経状態にロックしたときに、下壁部２２の下面の係合突起２２ａが、環状体２６の一方の凹部２６ｆから山部２６ｇを超えて他方の凹部２６ｆへと強制的に相対移動するものとなされている。従って、このロック状態から環状体２６を逆方向に回転させてロックを解除しようとすると、前記環状体２６の凹部２６ｆ、２６ｆ間の山部２６ｇを強制的に超える力が付与されなければならないことから、不用意なロック解除方向の回転が防止される。
【００３９】
前記連結片２３，２３の各外面には、照明器具Ｎの高さ位置を調節した際に上下の壁２１，２２間において、電力供給コードＭの余分な部位を引っ掛けるための突出片２９，２９が一体形成されている。
【００４０】
前記カバー３は、合成樹脂などにより略逆釣り鐘形に成形されており、下壁面３１ａは、中央側に向かって下り勾配の傾斜面で構成されている。この下壁面３１ａの中央には、前記電力供給コードＭを挿通させるコード挿通孔３１が形成されており、このコード挿通孔３１の周囲には、図６に示すように、先端に内向きの突部３２ａを有し、前記電力供給コードＭを圧接する複数の弾性圧接片３２が上方突出状態に一体形成されている。これらの弾性圧接片３２によるコードＭに対する弾性圧接力は、前記カバー３が自重で滑り落ちない程度に設定されている。
【００４１】
次に、上記構成の照明器具のコード調節具Ａの使用手順を説明する。
【００４２】
予め、コード調節具本体２における上側弾性圧接片２５および下側弾性圧接片２８にそれぞれ環状体２６を嵌合しておく。嵌合に際しては、上下の各抜け止め片２３ａ、２３ｂが環状体２６の溝部２６ｅを通過するように環状体２６を移動させれば良い。また、カバー３も下端に照明器具Ｎが接続された電力供給コードＭに通しておく。
【００４３】
この後、図７に示すように、電力供給コードＭをコード調節具本体２における上側および下側コード挿通孔２４，２７に挿入してから、その上端側を前記引っ掛けシーリングプラグ１に電気的に接続する。そして、この状態で市販に供される。
【００４４】
照明器具を購入したユーザが、前記引っ掛けシーリングプラグ１とコード調節具本体２との間の電力供給コードＭの長さを調節する場合は、その長さを調整してから、前記上側の弾性圧接片２５に嵌合されている環状体２６を、その弾性圧接片２５が径小縁部２６ｂに位置する状態となるまで回転変移させれば、図８（Ｂ）に示すように、弾性圧接片２５が強制的に縮径されて、その先端の内向き突部２５ａを介して電力供給コードＭを圧接するので、調節した位置に係止される。
【００４５】
このように、環状体２６により電力供給コードＭに対する弾性圧接片２５の縮径状態がロックされるから、電力供給コードＭとコード調節具本体２とが相対的に位置ずれを起こしたりするのが確実に防止される。
【００４６】
照明器具Ｎの高さ位置を調節する場合は、下側コード挿通孔２７を挿通した電力供給コードＭの長さを前記コード調節具本体２における上壁部２１と下壁部２２との間で調整する。例えば照明器具Ｎを高い位置に設定したい場合は、電力供給コードＭの余分な部分を図２に示すように前記上壁部２１と下壁部２２との間で弛ませる。
【００４７】
その時、電力供給コードＭにおける前記上下の壁部２１，２２間での余剰部位は、ループ状にしてから前記連結部２３，２３の周りに巻いたのち最後に前記突出部２９，２９に掛け留めしておけばよい。
【００４８】
そして、前記下側の弾性圧接片２８に嵌合されている環状体２６を、その弾性圧接片２８が径小縁部２６ｂに位置する状態となるまで回転変移させれば、図８（Ｂ）に示すように、弾性圧接片２８が強制的に縮径されて、その先端の内向き突部２８ａを介して電力供給コードＭを圧接するので、電力供給コードＭが調節した長さに保持され、これにより、前記照明器具Ｎの高さを所望の位置に設定することができる。
【００４９】
このように、環状体２６により電力供給コードＭに対する弾性圧接片２８の縮径状態がロックされるから、電力供給コードＭが不用意に緩んだりするのが抑止される。
【００５０】
こうして前記電力供給コードＭの長さを調節した後、前記引っ掛けシーリングプラグ１を引っ掛けシーリングソケット１０に装着して電気的に接続する。
【００５１】
最後に、前記カバー３を上方移動させて、その上端を天井Ｆに当接させる。カバー３はその弾性圧接片３２が電力供給コードＭに圧接するので、自重でずれることなく、所定位置に保持される。これにより、前記コード調節具本体２がカバー３で覆われるので、外観の体裁もよい。
【００５２】
なお、コード長さを再調節する場合には、環状体２６を、弾性圧接片２５あるいは２８が径大縁部２６ｃに位置する状態となるまで逆方向に回転変移させればよい。図８（Ａ）に示すように、弾性圧接片２５あるいは２８が環状体２６の径大縁部２６ｃに達すると、弾性圧接片２５あるいは２８は拡径方向に弾性復帰して縮径状態が解除され、コードＭに対する圧接状態が解除される。
【００５３】
なお、弾性圧接片２５あるいは２８が径大縁部２６ｃに位置する状態となるまで環状体２６を回転変移させるには、前述したように、ピン状の係合突起２１ａ、２２ａが環状体２６の２個の凹部２６ｆ、２６ｆ間の山部２６ｇを強制的に通過するように環状体２６を回転させる必要があるため、環状体２６の意図しない不用意な回転変移を防止でき、弾性圧接片２５、２８の縮径変形状態をより強固に保持させることができる。
【００５４】
このように、環状体２６の回転操作により、簡単にかつ確実に、コードＭに対する圧接状態のロックとその解除を行うことができる。
【００５５】
以上、本発明の一実施形態を説明したが、本発明はこれら実施形態に限定されることはない。例えば、上記実施形態では、環状体環状体２６の孔２６ａに、弾性圧接片２５及び２８の個数に対応して、４個の径小縁部２６ｂと４個の径大縁部２６ｃとを交互配置に形成したが、弾性圧接片２５、２８を対向配置に２個形成するとともに、環状体２６の孔２６ａの形状を楕円形状あるいは長円形状としても良い。この場合は、孔６ａの短径方向の縁部が径小縁部、長径方向の縁部が径大縁部に相当するものとなる。そして、短径方向が前記２個の弾性圧接片２５、２８の対向方向に合致すると、前記長径と短径との差分に応じて前記弾性圧接片２５、２８が縮径されて、その先端の内向き突部２５ａが電力供給コードＭに圧接するとともに、圧接状態がロックされ、長径方向が前記２個の弾性圧接片２５、２８の対向方向に合致するように環状体を９０度回転変移させると、ロックが解除される構成としても良い。また、他のロック部材の使用も可能である。
【図面の簡単な説明】
【００５６】
【図１】この発明の一実施形態に係る照明器具のコード調節具を示す分解斜視図である。
【図２】同じく照明器具のコード調節具を示す断面図である。
【図３】上側コード挿入孔の周囲の弾性圧接片を示す拡大断面図である。
【図４】下側コード挿入孔の周囲の弾性圧接片を示す拡大断面図である。
【図５】（Ａ）は上側コード挿通孔を弾性圧接片を介して縮径させる環状体を示す平面図、（Ｂ）は図３（Ａ）のＸ−Ｘ線に沿った断面図、（Ｃ）は図３（Ａ）のＹ−Ｙ線に沿った断面図である。
【図６】カバーにおける弾性圧接片を示す拡大断面図である。
【図７】コード調節具の組み付け状況の説明図である。
【図８】（Ａ）は弾性圧接片の縮径状態を解除した状態の説明図、（Ｂ）は弾性圧接片の縮径状態をロックした状態の説明図である。
【図９】従来の照明器具のコード調節具の説明図である。
【符号の説明】
【００５７】
１・・・・・・・・・引っ掛けシーリングプラグ
２・・・・・・・・・コード調節具本体
３・・・・・・・・・カバー
２１・・・・・・・・上壁部
２２・・・・・・・・下壁部
２３，２３・・・・・連結部
２４・・・・・・・・上側コード挿通孔
２７・・・・・・・・下側コード挿入孔
２５，２８・・・・・弾性圧接片
２６，２９・・・・・ロック部材（環状体）
２６ａ，２９ａ・・・環状体の孔
Ｍ・・・・・・・・・電力供給コード
Ｎ・・・・・・・・・照明器具
【図１】
2006024534.tif 000003
【図２】
2006024534.tif 000004
【図３】
2006024534.tif 000005
【図４】
2006024534.tif 000006
【図５】
2006024534.tif 000007
【図６】
2006024534.tif 000008
【図７】
2006024534.tif 000009
【図８】
2006024534.tif 000010
【図９】
2006024534.tif 000011